(57)【要約】【課題】粘着テープの種類に関わりなくその引出し操作時の抵抗を容易に加減でき、作業性に優れた、両面粘着テープにも十分対応可能なテープ繰出し装置を提供する。【解決手段】ロール状に巻回された粘着テープ１を保持するリール１０と、リール１０を回転可能に支持するリール支持部２２および粘着テープ１の引出し方向の先端側を剥離可能に保持するテープ保持部２４を有する据え置き型のホルダ本体２０と、を備え、ホルダ本体２０のリール支持部２２に、粘着テープの引出し方向へのリールの回転抵抗を増減変更可能な回転制動機構３０を設けている。【選択図】図１
2019156600.tif 000002
【特許請求の範囲】
【請求項１】
巻回された粘着テープを保持するリールと、前記リールを回転可能に支持するリール支持部および前記粘着テープの引出し方向の先端側を剥離可能に保持するテープ保持部を有する据え置き型のホルダ本体と、を備え、
前記ホルダ本体の前記リール支持部に、前記粘着テープの引出し方向への前記リールの回転抵抗を増減変更可能な回転制動機構を設けたことを特徴とするテープ繰出し装置。
【請求項２】
前記回転制動機構が、前記リールの回転を制動する制動状態と、前記粘着テープの引出し方向への前記リールの回転を許容する非制動状態とに切り替える制動切替手段を含んで構成されていることを特徴とする請求項１に記載のテープ繰出し装置。
【請求項３】
前記回転制動機構が、前記リールの内方に収納された制動機構部と、前記制動機構部から前記リールの外側方に突出した切替操作部と、を有しており、
前記ホルダ本体が、前記リールを回転自在に支持する第１支持部と、前記制動機構部を回転拘束状態に支持する第２支持部と、を有していることを特徴とする請求項２に記載のテープ繰出し装置。
【請求項４】
前記ホルダ本体が、前記リール支持部と前記テープ切断部の間に、前記粘着テープの前記外面側に当接し、前記粘着テープを前記外面側を内方上面側とする略Ｖ字形の屈曲姿勢に案内するテープガイド部を有していることを特徴とする請求項１ないし３のいずれか１項に記載のテープ繰出し装置。
【発明の詳細な説明】
【技術分野】
【０００１】
本発明は、テープ繰出し装置に関し、特に巻回された粘着テープを引出しおよび切断操作に応じて繰出しおよび切断保持する据え置き型のテープ繰出し装置に関する。
【背景技術】
【０００２】
従来、ロール状に巻回された帯状の粘着テープをその外端側からの引出し操作に応じて順次繰り出すとともに、所定の切断操作等に応じて切断および保持する、いわゆる据え置き型（可搬でかつ専ら机や作業台上に据え置きされるもの）のテープ繰出し装置が多用されている。
【０００３】
このようなテープ繰出し装置は、一般に、巻芯上に巻回された粘着テープを保持するリールと、そのリールを回転自在かつ着脱可能に支持するリールホルダーと、そのリールから巻き出した粘着テープの先端側部分を切断するカッターと、そのカッターの近傍で粘着テープの後続部分の先端を剥離可能に保持する平板体とを備え、そのリールホルダーとカッターおよび平板体を有する切断部との間の空間中に、粘着テープの先端側の一定長さ区間を手指での引出しが可能な状態に保持するようになっている。
【０００４】
従来のこの種のテープ繰出し装置としては、例えばリールホルダーと切断部との間の引出作業空間中に上向ゲートを設け、リールホルダーから引き出した粘着テープをその上向ゲートの下方に通し、くぐらせてから、その粘着テープを切断部側に向けて上向きに屈曲させるものが知られている（例えば、特許文献１参照）。
【０００５】
また、リールホルダーと切断部との間の引出作業空間中に、複数のテープ通過隙間を有するブレーキング部材を設け、前述の通過隙間の高さ位置に応じて、リールホルダーから引き出した粘着テープのブレーキング部材前後での屈曲角度を変更可能にして、テープ引出し時の抵抗を変化させることができるようにしたものも知られている（例えば、特許文献２参照）。
【先行技術文献】
【特許文献】
【０００６】
【特許文献１】実用新案登録第３１７５０７２号公報
【特許文献２】実公平７−２４３６５号公報
【発明の概要】
【発明が解決しようとする課題】
【０００７】
しかしながら、上述のような従来のテープ繰出し装置にあっては、粘着テープの引出し操作時に或る程度の操作抵抗を生じさせる必要から、上向ゲートやブレーキング部材によって粘着テープを比較的小さい屈曲半径で屈曲させるため、巻回された粘着テープの種類によってその引出し操作時の操作抵抗に過不足が生じ易くなり、作業性が悪くなる場合があった。
【０００８】
これに対し、例えば上向ゲートやブレーキング部材の粘着テープとの係合部分をロール状にすることが考えられるが、上向ゲートやブレーキング部材に対し粘着テープの外面が低摩擦抵抗となる場合や、両面粘着テープのように滑り易くかつ剥がれ易い剥離シートが積層されている場合に、粘着テープの引出し操作時の抵抗が不足し易く、そのような場合にも対応可能なテープ繰出し装置とするには、不十分であった。
【０００９】
また、粘着テープの交換時に、上向ゲートやブレーキング部材から交換前の粘着テープの巻芯近傍部分を離脱させた上で、交換後の粘着テープを上向ゲートの下方空間やブレーキング部材の通過隙間に通す必要があり、交換作業性の面でも改善の余地があった。
【００１０】
本発明は、上述のような従来の課題を解決すべくなされたものであり、粘着テープの種類に関わりなくその引出し操作時の抵抗を容易に加減でき、作業性に優れた、両面粘着テープにも十分対応可能なテープ繰出し装置を提供することを目的とする。
【課題を解決するための手段】
【００１１】
本発明に係るテープ繰出し装置は、上記目的達成のため、巻回された粘着テープを保持するリールと、前記リールを回転可能に支持するリール支持部および前記粘着テープの引出し方向の先端側を剥離可能に保持するテープ保持部を有する据え置き型のホルダ本体と、を備え、前記ホルダ本体の前記リール支持部に、前記粘着テープの引出し方向への前記リールの回転抵抗を増減変更可能な回転制動機構を設けたことを特徴とするものである。
【００１２】
したがって、本発明では、回転制動機構により、粘着テープの引出し方向へのリールの回転抵抗を増減変更可能となり、粘着テープの種類に関わりなくその引出し操作時の操作抵抗を容易に適度に加減できることとなり、作業性に優れた、両面粘着テープにも十分対応可能なテープ繰出し装置となる。
【００１３】
本発明に係るテープ繰出し装置においては、前記回転制動機構が、前記リールの回転を制動する制動状態と、前記粘着テープの引出し方向への前記リールの回転を許容する非制動状態とに切り替える制動切替手段を含んで構成されていてもよい。その場合、回転制動機構が簡素化され得る。
【００１４】
また、本発明のテープ繰出し装置においては、前記回転制動機構が、前記リールの内方に収納された制動機構部と、前記制動機構部から前記リールの外側方に突出した切替操作部と、を有しており、前記ホルダ本体が、前記リールを回転自在に支持する第１支持部と、前記制動機構部を回転拘束状態に支持する第２支持部と、を有している構成とすることもできる。そのような構成とすれば、回転制動機構が着脱式のリールに容易に内蔵可能なものとなる。
【００１５】
さらに、本発明のテープ繰出し装置は、前記ホルダ本体が、前記リール支持部と前記テープ切断部の間に、前記粘着テープの前記外面側に当接し、前記粘着テープを前記外面側を内方上面側とする略Ｖ字形の屈曲姿勢に案内するテープガイド部を有しているものである構成とすることもできる。その場合、回転制動機構のみならず、テープガイド部におけるブレーキング作用を併用して、粘着テープの引出し操作時の操作抵抗を効果的に増減変更可能となる。
【発明の効果】
【００１６】
本発明によれば、粘着テープの種類に関わりなくその引出し操作時の抵抗を容易に加減でき、作業性に優れた、両面粘着テープにも十分対応可能なテープ繰出し装置を提供することができる。
【図面の簡単な説明】
【００１７】
【図１】本発明の一実施形態に係るテープ繰出し装置のテープ装着状態での概略構成を示す一部断面を含む側面図である。
【図２】本発明の一実施形態に係るテープ繰出し装置のテープ装着状態での平面図である。
【図３】本発明の一実施形態に係るテープ繰出し装置のリール内部構造を示す要部側面断面図である。
【図４】図３のＩＶ−ＩＶ矢視断面図である。
【図５】本発明の他の実施の形態に係るテープ繰出し装置のテープ装着状態での概略構成を示す一部断面を含む側面図である。
【発明を実施するための形態】
【００１８】
以下、本発明を実施するための形態について、図面を参照しつつ説明する。
【００１９】
（一実施形態）
図１ないし図４は、本発明の一実施形態に係るテープ繰出し装置のテープ装着状態での概略構成を示している。
【００２０】
まず、その構成について説明する。
【００２１】
図１および図２に示すように、本実施形態のテープ繰出し装置１は、リール１０と、ホルダ本体２０を具備しており、リール１０には、ロール状に巻回された粘着テープ２が着脱可能に外装されるようになっている。
【００２２】
図３および図４に示すように、粘着テープ２は、例えば外面側に分離性の良好な不図示の剥離シート（セパレータ）が外装された公知の両面粘着テープであり、円環状の巻芯３の外周面に粘着された粘着テープ２の内端部分から外端部分へと所定巻き数分だけ多層に重ね巻き状態に巻回されている。
【００２３】
また、リール１０は、外周壁部１１と、外周壁部１１の中心部に位置する回転中心軸部１３と、外周壁部１１の軸方向一端側で外周壁部１１および回転中心軸部１３を同軸一体に連結する連結板部１５とを有している。
【００２４】
外周壁部１１は、粘着テープ２の巻芯３をその内周面側から保着脱可能に支持する短軸円筒状のもので、周方向等間隔に離間する３つ以上の平行なリブ状の突起１２ｐを有している。
【００２５】
回転中心軸部１３は、連結板部１５に対して外周壁部１１の一端側に突出する一端部１３ａと、連結板部１５に対して外周壁部１１の他端側に突出する他端部１３ｂとを有する円柱状の軸体である。連結板部１５は、中心部の片面側（図４中の右側）と所定半径領域の他の片面側に、それぞれ凹部１５ａ、１５ｂを有している。
【００２６】
ホルダ本体２０は、テープ収納凹部２１、リール支持部２２、テープカッタ２３（切断部）およびテープ保持部２４を有する据え置き型のものである。
【００２７】
テープ収納凹部２１は、底板２５上に立設した左右の側板２６、２７を有しており、粘着テープ２が外装されたリール１０を所定高さ位置に収納できるようになっている。
【００２８】
リール支持部２２は、テープ収納凹部２１の内方に一体に設けられており、左右の側板２６、２７の内壁の一部でそれぞれの内面および上端面側に開くように形成された略Ｕ字形の段付き壁部からなる一方および他方の着脱ガイド部２８、２９と、リール１０の回転中心軸部１３を回転自在に収納保持するとともに連結板部１５に突き当たる状態で外周壁部１１の他端側に突出し、着脱ガイド部２９に回転不能に係合する軸受部材１９と、を有している。
【００２９】
そして、回転中心軸部１３の一端部１３ａが一方の着脱ガイド部２８に回転自在に支持され、回転中心軸部１３の他端部１３ｂが軸受部材１９に回転自在に支持される。したがって、リール支持部２２は、粘着テープ２が外装されテープ収納凹部２１内に収納されたリール１０を、前述の所定高さ位置に回転自在に支持することができる。
【００３０】
テープカッタ２３は、公知のカッターと同様な金属刃であり、テープ保持部２４は、リール１０からの粘着テープ２の引出し方向の先端部分２ａを剥離可能に保持する金属板からなる。
【００３１】
本実施形態のテープ繰出し装置１は、ホルダ本体２０のリール支持部２２に、粘着テープ２の引出し方向へのリール１０の回転抵抗を増減変更可能な回転制動機構３０をさらに備えている。
【００３２】
回転制動機構３０は、リール１０の回転を制動する制動状態と、粘着テープ２の引出し方向へのリール１０の回転を許容する非制動状態とに切り替え操作可能になっている。
【００３３】
この回転制動機構３０は、リール１０の内方に収納された制動機構部３１と、制動機構部３１からリール１０の外側方に突出した操作レバー状の切替操作部３２とを有している。
【００３４】
制動機構部３１は、切替操作部３２の切換え操作に応じてリール１０を選択的に制動できるものであれば、その方式は特に限定されるものでないが、本実施形態では、例えばリール１０に内蔵されるドラムブレーキタイプの制動機構として、バッキングプレート部３４と、少なくとも１つ、例えば複数のブレーキシュー３５と、切替部材３６と、弾性カム部３７とを含んで構成されている。
【００３５】
具体的には、バッキングプレート部３４は、連結板部１５に隣接するとともに軸受部材１９に外装され、軸受部材１９の回止め部１９ａにより回止めされたボス付きのものである。
【００３６】
複数のブレーキシュー３５は、リール１０の外周壁部１１の内周面に対し等角度間隔に対向するとともに、それぞれバッキングプレート部３４にドラム径方向に板ばねのように曲げ弾性変形可能に片持ち支持されている。
【００３７】
複数の切替部材３６は、バッキングプレート部３４および複数のブレーキシュー３５に近接する複数の内レバー部３６ａと、これら複数の内レバー部３６ａを一体に支持しつつバッキングプレート部３４の固定ボス部３４ａに回動可能に支持された可動ボス部３６ｂとを有している。
【００３８】
複数の弾性カム部３７は、ブレーキシュー３５の自由端側背面部分とバッキングプレート部３４に支持された基端側背面部分の間に介在し、切替部材３６の回動位置に応じて複数の内レバー部３６ａから複数のブレーキシュー３５に拡開方向の操作力を伝達する複数の曲げ板ばね状のものである。
【００３９】
制動機構部３１のうちバッキングプレート部３４、複数のブレーキシュー３５および複数の弾性カム部３７は、これらの機能を成立させ得る所定の樹脂（エンジニアリングプラスチック）、例えばポリアセタールによって一体に形成されており、切替部材３６は、その樹脂より硬質の素材によって形成されている。なお、バッキングプレート部３４、複数のブレーキシュー３５および複数の弾性カム部３７が、独立した別素材の部品として構成され得ることはいうまでもない。
【００４０】
操作レバー状の切替操作部３２は、切替部材３６の可動ボス部３６ｂに一体に連結されており、回転制動機構３０の切替操作部３２および切替部材３６は、制動機構部３１をリール１０の回転を制動する制動状態と粘着テープ２の引出し方向へのリール１０の回転を許容する非制動状態とに切り替える制動切替手段を構成している。
【００４１】
この切替操作部３２は、図１中に実線で示す制動側の操作位置Ｐ１と、図１中に仮想線で示す非制動側の操作位置Ｐ２とのうち任意の選択位置に切り替え操作可能である。
【００４２】
前述のように回転中心軸部１３の一端部１３ａを回転自在に支持する一方の着脱ガイド部２８と、リール１０の回転中心軸部１３を回転自在に収納保持する軸受部材１９とは、ホルダ本体２０においてリール１０を回転自在に支持する第１支持部として機能する。
【００４３】
また、着脱ガイド部２９に回転不能に係合する軸受部材１９と、軸受部材１９の回止め部１９ａにより回止めされたボス付きのバッキングプレート部３４とは、制動機構部３１を回転拘束状態に支持する第２支持部として機能する。
【００４４】
本実施形態のテープ繰出し装置１においては、さらに、ホルダ本体２０が、リール支持部２２とテープ保持部２４の間に、粘着テープ２の外面２ｃ側に当接し、粘着テープ２をその外面２ｃ側を内方上面側とする略Ｖ字形の屈曲姿勢に案内する略Ｌ字形のテープガイド部４１を備えている。
【００４５】
このテープガイド部４１は、粘着テープ２の外面２ｃに当接する先端の当接部分４１ａが所定半径の円形断面を有する丸棒状となっており、この当接部分４１ａを支持する支持アーム部分４１ｂは、左右の側板２６、２７のうちいずれか片方に所定姿勢に固定されている。このテープガイド部４１の支持アーム部分４１ｂの固定姿勢は、調整可能としてもよい。
【００４６】
次に、作用について説明する。
【００４７】
上述のように構成された本実施形態においては、回転制動機構３０により、粘着テープ２の引出し方向へのリール１０の回転抵抗を増減変更可能となり、粘着テープ２の種類に関わりなくその引出し操作時の操作抵抗を容易に適度に加減できることとなる。よって、作業性に優れた、両面粘着テープにも十分対応可能なテープ繰出し装置となる。
【００４８】
また、本実施形態においては、回転制動機構３０が、リール１０をその制動状態と非制動状態とに切り替える操作レバー状の切替操作部３２を有しているので、粘着テープ２の引出し操作に対するリール１０の回転抵抗とそれに伴う操作抵抗を、粘着テープ２の種類に関係なく、使用者が容易にかつ適度に加減操作することが可能となる。
【００４９】
また、本発明では、回転制動機構３０が、リール１０の内方に収納された制動機構部３１と、制動機構部３１からリール１０の外側方に突出した切替操作部３２とを有し、かつ、ホルダ本体２０が、回転中心軸部１３の一端部１３ａを回転自在に支持する一方の着脱ガイド部２８と、回転中心軸部１３の他端部１３ｂを回転自在に支持する軸受部材１９とにより、ホルダ本体２０においてリール１０を回転自在に支持する第１支持部が構成されているので、回転制動機構３０の主要部を全体的にホルダ本体２０に対して着脱可能にすることができる。
【００５０】
しかも、着脱ガイド部２９に回転不能に係合する軸受部材１９と、軸受部材１９の回止め部１９ａにより回止めされたボス付きのバッキングプレート部３４とが、制動機構部３１を回転拘束状態に支持する第２支持部となっているので、回転制動機構３０の主要部を全体的にホルダ本体２０に対して着脱可能にしながらも、装着状態における回転制動機構３０の切替え操作を容易にかつ的確に実行可能となる。
【００５１】
さらに、本実施形態では、ホルダ本体２０が、リール支持部２２とテープカッタ２３の間に、粘着テープ２をその外面２ｃ側を内方上面側とする略Ｖ字形の屈曲姿勢に案内するテープガイド部４１を設けているので、粘着テープ２の引出し方向の操作力を軽減するとともにとき解し操作量を抑えることができる。その結果、回転制動機構３０のみならず、テープガイド部４１におけるブレーキング作用を併用して、粘着テープ２の引出し操作時の操作抵抗を効果的に増減変更可能な装置構成となる。
【００５２】
以上のように、本実施形態においては、粘着テープ２の種類に関わりなくその引出し操作時の操作抵抗を切替操作によって容易に加減でき、作業性に優れた、両面粘着テープにも十分対応可能なテープ繰出し装置を提供することができる。
【００５３】
なお、上述の一実施形態においては、回転制動機構３０が、粘着テープ２の引出し操作時の操作抵抗を切替操作部３２での切替操作によって制動状態と非制動状態とに２段切替えするものとしたが、本発明にいう回転制動機構は、制動抵抗を多段に切り替えることで強弱に異なる複数段の異なる制動状態に切替え可能とするものであってもよいことはいうまでもない。
【００５４】
（他の実施形態）
図５は、そのような多段切替えを行う本発明の他の実施形態に係るテープ繰出し装置の概略構成を示している。なお、本実施形態は、前述の一実施形態とは回転制動機構が相違するものの、他の構成は前述の一実施形態と同様であるので、以下、共通する構成については前述の一実施形態と同様の符号を用いつつ主にその相違点について説明する。
【００５５】
同図に示すように、本実施形態のテープ繰出し装置１は、リール１０と、ホルダ本体２０を具備しており、リール１０には、ロール状に巻回された粘着テープ２が着脱可能に外装されている。
【００５６】
リール１０は、一実施形態と同様に、外周壁部１１と、外周壁部１１の中心部に位置する回転中心軸部１３と、外周壁部１１の軸方向一端側で外周壁部１１および回転中心軸部１３を同軸一体に連結する連結板部１５とを有している。
【００５７】
本実施形態における回転制動機構５０は、リール１０の回転を制動する制動状態と、粘着テープ２の引出し方向へのリール１０の回転を許容する非制動状態とに切り替え操作可能であることに加えて、切替操作部３２を非制動状態に対応する第１の操作位置Ｐ１と、異なる複数の制動状態に対応する第２、第３の操作位置Ｐ２、Ｐ３とのうちいずれかに択一的に切り替えることで、リール１０の回転制動状態をその制動力（回転抵抗）が強弱に異なる複数段階の制動状態に切り換え可能となっている。
【００５８】
この場合、回転制動機構５０は、例えば切替操作部３２の切換え操作に応じ回転中心軸部１３を中心として回動する不図示のカムと、リール１０の外周壁部１１の内面１１ａに対向するとともに前述のカムによって外周壁部１１の内面１１ａに接近する方向に駆動される一方、不図示の復帰ばねにより外周壁部１１の内面１１ａから離隔する方向に付勢されているブレーキパッド５１とを含んで構成され得る。
【００５９】
また、回転制動機構５０は、底板２５上に相対変位可能に設けられた左右の側板２６、２７のうち片方に支持され、粘着テープ２の着脱交換時に左右の側板２６、２７のうち他の片方がテープ収納凹部２１を開放する方向に変位するように構成できる。
【００６０】
本実施形態においても、粘着テープ２の種類に関わりなくその引出し操作時の操作抵抗を切替操作によって容易に加減でき、作業性に優れた、両面粘着テープにも十分対応可能なテープ繰出し装置を提供することができる。
【００６１】
なお、上述の各実施形態においては、切替操作部３２は回動操作レバーとしたが、アクチュエータ類を作動させるスイッチであってもよいし、あるいは、左右の側板２６、２７のうち少なくとも片方に支持され、リール１０の外周壁部１１を内外周面側もしくは両側端面側から挟んだり片側から押圧力を加えたりすることで回転抵抗を増減変更可能な回転抵抗要素であってもよい。
【００６２】
以上説明したように、本発明は、粘着テープの種類に関わりなくその引出し操作時の抵抗を容易に加減でき、作業性に優れた、両面粘着テープにも十分対応可能なテープ繰出し装置を提供できるものであり、かかる本発明は、巻回された粘着テープを引出しおよび切断操作に応じて繰出しおよび切断保持する据え置き型のテープ繰出し装置全般に有用である。
【符号の説明】
【００６３】
１  テープ繰出し装置
２  粘着テープ（片面粘着テープ、剥離シート付の両面粘着テープ）
２ａ  先端部分
２ｃ  外面
３  巻芯
１０  リール
１１  外周壁部
１１ａ  内面
１２ｐ  突起
１３  回転中心軸部
１３ａ  一端部
１３ｂ  他端部
１５  連結板部
１９  軸受部材
１９ａ  回止め部
２０  ホルダ本体
２１  テープ収納凹部
２２  リール支持部
２３  テープカッタ（切断部）
２４  テープ保持部
２５  底板
２６、２７  側板
２８、２９  着脱ガイド部
３０、５０  回転制動機構
３１  制動機構部
３２  切替操作部
３４  バッキングプレート部
３４ａ  固定ボス部
３５  ブレーキシュー
３６  切替部材
３６ａ  内レバー部
３６ｂ  可動ボス部
３７  弾性カム部
４１  テープガイド部
４１ａ  当接部分
４１ｂ  支持アーム部分
５１  ブレーキパッド
Ｐ１  第１の操作位置
Ｐ２  第２の操作位置
Ｐ３  第３の操作位置
【図１】
2019156600.tif 000003
【図２】
2019156600.tif 000004
【図３】
2019156600.tif 000005
【図４】
2019156600.tif 000006
【図５】
2019156600.tif 000007